(57)【要約】  【課題】企業等組織において、複数の規準規格（国際標準や認証規格）の取得・更新・定期自主点検等を目的とする大量のデジタル情報の棚卸作業は、おのおの特定期間に集中し、棚卸作業担当者は、ストレージ個別を対象とする格納ファイル名称の表計算シート等へのリストアップ、評価分類と記録という労力の大きい作業を行ってきた。【解決手段】複数情報システムのストレージの一括認識、デジタル情報のファイル名称及びプロパティ情報に対する複数の属性情報（多属性の評価分類情報）の付与と変更（たとえば、「機密情報」、「個人情報」、「財務情報」を属性情報とすることによる情報セキュリティマネジメント国際標準、個人情報保護法、企業改革法の準拠を目的とする）、利用者に対する2種類の評価分類操作インターフェイス「1.翼表示型」、「2.胴体羅列表示型」の提供により、複数目的に基づく、日常作業としてのデジタル情報の棚卸作業を可能とする。  【選択図】図１
2008052337.tif 000002
【特許請求の範囲】
【請求項１】
情報システムのストレージ（各対象情報システムに認識されるハードディスク、接続記憶媒体等の論理的なドライブ単位）に保管されるデジタルデータのファイル名称及びプロパティ情報に対する複数の属性情報（多属性の評価分類情報）の効率的付与と変更、これら状況管理による、機密情報、個人情報、財務情報を包括した情報資産全般管理を支援するデジタルデータファイル多属性評価分類操作管理プログラム。
【請求項２】
複数情報システムのストレージ及び保管されるデジタルデータファイル認識のため、これら対象情報システム全てにエージェントプログラムを導入、管理者が、管理用端末から、管理作業項目である「初期設定」において、「初期設定画面」を介し、対象情報システムのストレージを認識した後、管理作業項目である「初期設定」、「属性設定」、「権限設定」、「状況管理」を、そして、利用者が、操作用端末から「評価分類操作」を行う請求項1記載のデジタルデータファイル多属性評価分類操作管理プログラム。
【請求項３】
管理者が、管理用端末から、管理作業項目である「属性設定」において、「属性設定画面」を介し、デジタルデータファイルの属性情報として用いる任意の複数属性名及び各属性における分類詞（評価レベル）名とこれら定義の設定・変更・削除、この属性情報のファイル名称及びプロパティ情報における登録形式の設定・変更・削除を行う請求項1記載のデジタルデータファイル多属性評価分類操作管理プログラム。
【請求項４】
管理者が、管理用端末から、管理作業項目である「権限設定」において、「権限設定画面」を介し、利用者グループを作成、対象情報システムのストレージを基本単位とする「属性参照」、「属性変更」、「ファイル移動」についての権限を設定、各利用者グループへの利用者登録を行う請求項1記載のデジタルデータファイル多属性評価分類操作管理プログラム。  
【請求項５】
管理者が、管理用端末から、管理作業項目である「状況管理」において、「状況管理画面」を介し、対象情報システムのストレージを基本単位とする属性情報の設定状況と変化状況を把握監視する請求項1記載のデジタルデータファイル多属性評価分類操作管理プログラム。  
【請求項６】
管理者による請求項３記載の「属性設定」及び請求項4記載の「権限設定」情報に基づき、各利用者が、操作用端末から「評価分類操作画面」を介し、2種類の評価分類操作インターフェイスである「1.翼表示型」、「2.胴体羅列表示型」及びこれら複数属性同時表示により、対象情報システムのストレージを基本単位とした大量のデジタルデータファイルの効率的な評価分類操作すなわち「属性参照」、「属性変更」、「ファイル移動」を行う請求項1記載のデジタルデータファイル多属性評価分類操作管理プログラム。
【発明の詳細な説明】
【技術分野】
【０００１】
本発明は、複数情報システムのストレージ上のデジタルデータファイルの効率的評価分類と管理を支援するデジタルデータファイル多属性評価分類操作管理プログラムに関する。
【背景技術】
【０００２】
近年、企業等組織において、組織内のデジタル情報の棚卸（評価分類）作業が要求される情報セキュリティマネジメント、個人情報保護、プライバシーマーク制度、米国及び日本版企業改革法といった複数の国際標準その他規準に基づく認証規格の取得・更新・定期自主点検が実施されている。
【０００３】
一般に、これら大量のデジタル情報の棚卸作業は、その模範とする規準規格（国際標準や認証規格）が異なるために、おのおのの取得・更新・定期自主点検等の機会時期に集中実施されている。また、棚卸しする大量のデジタル情報は、一般に、組織内の複数情報システムのストレージに分散するが、棚卸作業担当者は、ストレージ個別を対象とする格納ファイル名称の表計算シート等へのリストアップ、評価分類と記録という労力の大きい作業を行っている（例えば、非特許文献１、非特許文献２、非特許文献３を参照）。
【非特許文献１】情報セキュリティマネジメントシステム適合度評価制度ＩＳＭＳ認証基準バージョン２．０（平成１５年４月発行）、財団法人日本情報処理開発協会
【非特許文献２】個人情報保護に関するコンプライアンス・プログラムの作成指針バージョン１．０（平成１１年１２月発行）、財団法人日本情報処理開発協会（プライバシーマーク事務局）
【非特許文献３】財務報告に係る内部統制の評価及び監査の基準（公開草案）（平成１７年７月発行）、金融庁企業会計審議会
【発明の開示】
【発明が解決しようとする課題】
【０００４】
以上に述べた、従来のデジタル情報の棚卸作業は次の３つの課題をもつ。すなわち、（１）複数の規準規格（国際標準や認証規格）の取得・更新・定期自主点検時等複数の目的において個別に実施されていること、（２）個別情報システムのストレージを対象としていること  （３）人間の目視によるリストアップ、評価分類、評価記録という労力の大きい作業であること、これら３つの課題により、デジタル情報の作成、利用、更新時といった日常作業ではなく、規準規格（国際標準や認証規格）の取得・更新・定期自主点検時といった特定期間に集中して実施する状況である。
【０００５】
本発明は、このような従来のデジタル情報の棚卸作業における問題を解決しようとするものであり、複数目的におけるデジタル情報の棚卸作業を統合し、具体的には、複数情報システムのストレージを対象とし、かつ、棚卸作業負荷を分散するために、日常作業としての効率的なデジタルデータファイルの評価分類と管理の実現を目的とするものである。
【課題を解決するための手段】
【０００６】
そして、本発明は、上記目的のうち、従来のデジタル情報の棚卸作業における第１の課題である「複数の規準規格（国際標準や認証規格）の取得・更新・定期自主点検時等複数の目的における個別実施」の解決のため、保管されるデジタルデータのファイル名称及びプロパティ情報に対する複数の属性情報（多属性の評価分類情報）の効率的付与により、複数目的におけるデジタル情報の棚卸作業を同時実施することを可能としたものである。
【０００７】
次に、本発明は、上記目的のうち、従来のデジタル情報の棚卸作業における第２の課題である「個別情報システムのストレージを対象としていること」の解決のため、複数情報システムに、エージェントプログラムを導入し、そのストレージ及び保管されるデジタルデータファイルの一括認識を可能としたものである。
【０００８】
さらに、本発明は、上記目的のうち、従来のデジタル情報の棚卸作業における第３の課題である「人間の目視によるリストアップ、評価分類、評価記録という労力の大きい作業であること」の解決のため、各利用者が「評価分類操作画面」において、2種類の評価分類操作インターフェイスである「1.翼表示型」、「2.胴体羅列表示型」及びこれら複数属性同時表示により、デジタル情報の作成、利用、更新時における大量のデジタルデータファイルの効率的な評価分類操作を可能としたものである。
【０００９】
最後に、本発明は、上記第１、２、３の課題解決および日常作業としての効率的なデジタルデータファイルの評価分類と管理の実現を補完するものとして、管理者による各利用者の利用者のデジタル情報の評価分類操作に関する「権限設定」の機能、デジタル情報の属性情報の設定状況や変化状況の理解を可能とする「状況管理」の機能を追加したものである。
【００１０】
上記１の課題解決手段における作用は次のとおりである。すなわち、保管されるデジタルデータのファイル名称及びプロパティ情報に対する複数の属性情報（多属性の評価分類情報）として、複数目的におけるデジタル情報の評価分類作業用の設定、たとえば、「機密情報」、「個人情報」、「財務情報」を属性情報とすることによる情報セキュリティマネジメント国際標準、個人情報保護法、企業改革法の準拠に関するデジタル情報の棚卸作業の同時実施が可能となり、効率的となる。
【００１１】
上記２の課題解決手段における作用は次のとおりである。すなわち、本プログラム認識用のエージェントプログラムを複数情報システムに導入、全システムのストレージ及び保管されるデジタルデータファイルの一括認識により、管理者が、管理者用の管理用端末から、管理作業項目である「初期設定」において、「初期設定画面」を介した「初期設定機能」による複数情報システムのストレージを認識した後、管理作業項目である「初期設定」、「属性設定」、「権限設定」、「状況管理」を、そして、利用者用の操作用端末から「評価分類操作」を可能とするため、管理者、利用者とも、各情報システムに個別にログインする必要がなく、棚卸作業が効率的となる。
【００１２】
上記３の課題解決手段における作用は次のとおりである。すなわち、各利用者が2種類の評価分類操作インターフェイスの「1.翼表示型」、「2.胴体羅列表示型」により、ストレージを基本単位とした複数のデジタルデータファイルをまとめて、任意属性における分類詞（評価レベル）の設定・変更を行う。また、任意属性における特定の分類詞（評価レベル）をはじめ、未評価分類のデジタルデータファイルの検索、一括変更を行うなど、利用者が、大量のデジタルデータファイルの効率的な評価分類操作を行う。さらに、評価分類操作した後の任意属性における特定の分類詞（評価レベル）に応じた特定フォルダ（たとえば、個人情報用フォルダ）がある場合、そこに一括移動をする。これらの支援機能により人間の目視によるリストアップ、評価分類、評価記録という労力の大きい作業から解放され、ある一定期間に集中しない日常の棚卸作業が可能となる。
【００１３】
上記１、２、３の課題解決を補完する管理者用の「権限設定」の機能における作用は次のとおりである。すなわち、管理者が、管理用端末から、管理作業項目である「権限設定」において、「権限設定画面」を介し、利用者グループを作成、対象情報システムのストレージを基本単位とする「属性参照」、「属性変更」、「ファイル移動」についての権限を設定、各利用者グループへ利用者を登録する。この作業により、従来、情報システム別で設定されているファイル操作に関するポリシーと、複数情報システムに対する社内ポリシーとの整合性を図ることが可能となり、規準等の要求事項に基づく社内ポリシーの見直しが可能となることで、デジタル情報の棚卸作業に関するマネジメント支援の役割を果たすものである。
【００１４】
上記１、２、３の課題解決を補完する管理者用の「状況管理」の機能における作用は次のとおりである。すなわち、管理者が、管理用端末から、管理作業項目である「状況管理」において、「状況管理画面」を介し、対象情報システムのストレージを基本単位とする属性情報の設定状況や変化状況の理解を可能とする。これは、管理者が、各利用者による棚卸作業の状況監視や集計、棚卸作業に関する問題発見と解決計画やマネジメントへの報告資料の材料とすることで、デジタル情報の棚卸作業に関するマネジメント支援の役割を果たすものである。
【発明の効果】
【００１５】
本発明によれば、複数情報システムのストレージを対象とする複数目的におけるデジタル情報の棚卸作業を統合、棚卸作業負荷の分散のため、デジタルデータファイルの評価分類と管理を日常作業として効率的に行うことができる。
【発明を実施するための最良の形態】
【００１６】
以降、本発明の実施の形態を図１〜図２３に基づいて説明する。本実施形態では、社内の管理情報システムにおいて、たとえば、情報セキュリティマネジメント国際標準、個人情報保護法、企業改革法の準拠における「機密情報」、「個人情報」、「財務情報」の３種類のデジタル情報の棚卸作業を同時実施することを想定する。また、評価分類と管理対象の情報システムは、社内共有の大容量ストレージをもつ情報システムすなわち各種サーバとする。
【００１７】
図１において、実施形態は、左から、「管理操作用端末」から、本発明本体である「プログラム本体」、本プログラムの評価分類と管理の対象となるデジタル情報を格納するストレージをもつ「対象情報システム」の大きく３つの領域を示し、さらに、「管理操作用端末」と「プログラム本体」との間には、「インターフェイス」、「プログラム本体」内部には「専門機能部」、「専門記憶部」がある。
【００１８】
図１において、管理操作用端末には、管理用端末１と操作用端末２があり、社内ネットワークを通じ、本プログラムに接続、利用する。
【００１９】
本プログラムの利用は、管理者は「初期設定」、「属性設定」、「権限設定」、「状況管理」、利用者は、「評価分類操作」のそれぞれのインターフェイスを介して実施される。
【００２０】
「初期設定」、「属性設定」、「権限設定」、「状況管理」、「評価分類操作」の５つの利用段階は、まず、プログラムのサーバ導入を開始として、管理者による「初期設定」、「属性設定」、「権限設定」がなされ、利用者による「評価分類操作」がなされながら、適宜、管理者による「属性設定」、「権限設定」における変更修正と「状況管理」が実施される。
【００２１】
５つの利用段階における手順を図２から図６に示し、以降各段階の説明において参照する。
【００２２】
管理用端末１は、本プログラムの統括管理者もしくは「初期設定」、「属性設定」、「権限設定」、「状況管理」いずれかについて部分的に担当する管理者が利用し、操作用端末２は、本プログラムによる「評価分類操作」を行う社員が利用する。管理用端末１、操作用端末２双方とも、入力及び出力装置を備える計算機能をもつ。
【００２３】
図１において、本プログラムは、５つの利用段階である「初期設定」、「属性設定」、「権限設定」、「状況管理」、「評価分類操作」において、おのおのその専門機能部を利用する。「初期設定」においては、「初期情報表示機能部２１」、「初期設定機能部２２」、「属性設定」においては、「属性情報表示機能部２３」、「属性設定機能部２４」、「権限設定」においては、「権限情報表示機能部２５」、「権限設定機能部２６」、「状況管理」においては、「状況情報集計表示機能部２７」、「出力指示機能部２８」、利用者による「評価分類操作」においては、「ファイル属性情報表示機能部２９」、「評価分類操作機能部３０」である。
【００２４】
図１において、本プログラムは、５つの記憶部である「認識システム・ストレージ情報記憶部３１」、「属性・分類詞情報記憶部３２」、「利用者権限情報記憶部３３」、「状況情報表示形式記憶部３４」、「ファイル属性情報記憶部３５」をもつ。
【００２５】
図１において、本プログラムは、管理者、利用者に対して、上に述べた各利用段階において、それぞれ管理用端末１、操作用端末２から該当する専門機能部を利用させ、上に述べた５つの記憶部から該当するデータを参照し、本プログラムの機能を利用した、デジタルデータファイルの評価分類と管理を可能とさせる。
【００２６】
図１において、対象とする情報システム５２は、複数のファイルサーバ、データベースサーバ等の大量のデジタルデータファイルの格納を専門とするストレージ５１をもつシステムを想定する。本プログラムでは、ストレージは、論理的なドライブ単位を基本として認識し、この内部にあるデジタルデータファイルの評価分類と管理を行う。
【００２７】
図１において、本プログラムは、そのサーバ導入、本プログラムの管理用端末の指定の後、本プログラム認識用のエージェントプログラム５３を、対象情報システムすなわち評価分類と管理の対象となるデジタルデータファイル保管のストレージの複数情報システムの各管理者に導入してもらう。これにより、本プログラムの管理者及び利用者が、管理用端末１、操作用端末２を通じ、これら複数情報システムのストレージへのアクセスを可能とする。以上のタスクは、図２におけるS１―１、S１―２に該当する。
【００２８】
「初期設定」段階において、管理者は、該当する専門機能部である「初期情報表示機能部２１」、「初期設定機能部２２」を利用し、５つの記憶部のうち「認識システム・ストレージ情報記憶部３１」にアクセスし、認識した対象情報システムのストレージを参照する。以上のタスクは、図２におけるS１―３に該当する。
【００２９】
管理者は「初期情報表示機能部２１」により、図７の「初期設定画面」の「対象ストレージ登録画面」を開き、１０２の入力箇所である対象とする情報システムのネットワークアドレスを選択、そのストレージ名を認識し、各名称を設定登録する。ここで登録したストレージは、その後各利用段階に利用する各画面に登場する「ストレージ選択ボタンバー１０１」となり、以降各利用段階の各画面で選択される。以上のタスクは、図２におけるS１―４に該当する。
【００３０】
「初期設定画面」において、設定を変更すると、「初期設定機能部２１」を通じ、「認識システム・ストレージ情報記憶部３１」が更新される。
【００３１】
「属性設定」段階において、管理者は、該当する専門機能部である「属性情報表示機能部２３」、「属性設定機能部２４」を利用し、５つの記憶部のうち「属性・分類詞情報記憶部３２」にアクセスする。
【００３２】
図８において、管理者は「属性情報表示機能部２３」により「属性設定画面」を開き、「ストレージ選択ボタンバー」から対象ストレージを選択、属性情報である、選択肢数１１１、属性名１１２、属性の定義１１３、分類詞（評価レベル）１１４、分類詞（評価レベル）の定義１１５を入力する。ここで、複数属性の設定が可能である。以上のタスクは、図３におけるS２―１、S２―２に該当する。
【００３３】
また、図８において、１１６では、評価分類をしない場合の「デフォルトの分類詞」を設定する場合に、ここを選択する。この場合、後述するファイル名もしくはプロパティへの属性情報表示が「〔分類詞番号〕」のようにかっこがつき（例えば、３の場合、「〔３〕」と表示される。）、評価分類済みの同じ分類詞と区別できるようにする。これは、機密情報の場合、未設定のものや、基本としての分類詞を意識させることで、誤った評価をさせないことへの対策となる。さらに、１１６を設定せず、未評価分類のファイルの属性情報表示を、「〔〕」のようにかっこつきの任意の英数字で設定できるようにする（例えば、任意の英数字を「ｎ」とすると、「〔ｎ〕」と表示される。）。これは、未評価分類のファイルの一括表示や一括設定する際に利用する。
【００３４】
図８における属性情報の設定の後、図９において、その内容をファイル名とプロパティいずれかもしくは双方に設定する「属性設定画面」の「属性情報登録形式設定画面」に移行する。１２１で、「プロパティ」ボタンを選択すると、デジタルデータファイルのプロパティ情報に、「ファイル名」ボタンを選択すると、そのファイル名と拡張子との間に、属性情報が表示される。各属性情報をどの順に表示するかを、「プロパティ」の場合は、１２３、「ファイル名」の場合は、１２４の箇所において設定する。ここでは、「機密情報」、「個人情報」、「財務情報」の順に表示する設定となっている。以上のタスクは、図３におけるS２―３、S２―４に該当する。
【００３５】
「属性設定画面」において、設定を変更すると、「属性設定機能部２４」を通じ、「属性・分類詞情報記憶部３２」が更新される。
【００３６】
「権限設定」段階において、管理者は、該当する専門機能部である「権限情報表示機能部２５」、「権限設定機能部２６」を利用し、５つの記憶部のうち「利用者権限情報記憶部３３」にアクセスする（図３）。
【００３７】
図１０において、管理者は「権限情報表示機能部２５」により「権限設定画面」の「利用者グループ作成画面」を開き、１３１の箇所において、利用者グループ名称を登録し、各利用者グループに、「ストレージ選択ボタンバー」から対象ストレージと属性を選択しながら、「属性参照」、「属性変更」、「ファイル移動」等についての権限を付与する。以上のタスクは、図４におけるS３―１、S３―２に該当する。
【００３８】
図１１において、管理者は「権限情報表示機能部」により「権限設定画面」の「利用者登録画面」を開き、「ストレージ選択ボタンバー」から対象ストレージを選択しながら、１４１の箇所において、各ストレージの各利用者グループに、該当する利用者を登録していく。以上のタスクは、図４におけるS３―３に該当する。
【００３９】
「権限設定画面」において、設定を変更すると、「権限設定機能部２６」を通じ、「利用者権限情報記憶部３３」が更新される。
【００４０】
「状況管理」段階において、管理者は、該当する専門機能部である「状況情報集計表示機能部２７」、「出力指示機能部２８」を利用し、５つの記憶部のうち「状況情報表示形式記憶部３４」にアクセスする。
【００４１】
管理者は「状況情報集計表示機能部２７」により「状況管理画面」を開き、「ストレージ選択ボタンバー」から対象ストレージと集計内容を選択、「出力指示機能部２８」を通じて、集計出力を依頼する。以上のタスクは、図５におけるS４―１に該当する。
【００４２】
出力指示には、例として、図１２、図１３における基本集計出力指示および出力、図１４、図１５における加工集計出力指示および出力がある。各ストレージ内の全属性及び高評価レベルである分類詞のファイル名の書き出しや構成比など、リスクの高いデジタル情報を集中してリストアップするなど棚卸作業の目的にあう集計結果の出力を可能とする。
【００４３】
基本集計出力は、１５１の「出力形式選択」において、「画面出力」、「ファイル出力」の２つが可能とし、１５２の「出力ファイル名形式選択」において、「ファイル名のみ」、「パスつき」のいずれかを選択する。これにより、「画面出力」の場合に、１６１の出力が得られる。
【００４４】
加工集計出力は、１７１の「加工要件」において、「集計カテゴリー選択」、「数表示形式選択」、「グラフ選択」のおのおのから、任意の組み合わせにより、出力が得られる。これにより、「画面出力」の場合に、１８１の出力が得られる。以上のタスクは、図５におけるS４―２、S４―３に該当する。
【００４５】
「状況管理画面」において、集計を実施すると「出力指示機能部２８」を通じ、「状況情報表示形式記憶部３４」が更新され、同様の集計を実施することを可能とする。
【００４６】
「評価分類操作」段階において、利用者は、該当する専門機能部である「ファイル属性情報表示機能部２９」、「評価分類操作機能部３０」を利用し、管理者により設定された「利用者権限情報記憶部３３」に基づき、５つの記憶部のうち「ファイル属性情報記憶部３５」にアクセスする。
【００４７】
図１６において、利用者は、「ファイル属性情報表示機能部」により「評価分類操作画面」を開き、評価分類操作するデジタルデータファイルを保管する対象ストレージを「ストレージ選択ボタンバー」において選択し、１９１の「表示形式選択」において、評価分類操作インターフェイスである「1.翼表示型」、「2.胴体羅列表示型」のいずれかを選択する。本タスクは、図６におけるS５―１、S５―２に該当する。
【００４８】
図１７において、「1.翼表示型」は、分類詞（評価レベル）変更元としての「胴体」部分２０１と、分類詞（評価レベル）変更先としての「翼」部分２０２で構成される。「胴体」は、ファイル構成を表示し、その形式は「ディレクトリ階層構造」、「ファイル名フルパス表示」いずれも可能である。２０３は表示属性名、２０４は各分類詞番号である。
【００４９】
図１７において、利用者は、デジタルデータファイルの「属性参照」を実施したい場合、目的となる分類詞（評価レベル）が「翼」となっている場合には、それを選択して、「胴体」としてから参照、「属性変更」を実施したい場合も同様の操作で、まず、「胴体」としてから参照、その窓から、表示されるデジタルデータファイルの全てか、任意のそれを選択し、２０６（矢印）のように、変更したい分類詞（評価レベル）の「翼」に移動する。これにより、属性情報が一括変更される。
【００５０】
図１７において、「1.翼表示型」の形態は、マウス操作による上記の3種のタスク「属性参照」、「属性変更」、「ファイル移動」を想定しており、右斜め（一般にマウス持ち手が右利き用）、左斜め（一般にマウス持ち手が左利き用）等などを考慮して、自由に角度を変更することができ、また、操作の正確性を考慮して、「翼」部分、「胴体」部分の大きさも自由に変更することができる。
【００５１】
図１８において、「2.胴体羅列表示型」は、「1.翼表示型」のように、分類詞（評価レベル）変更元としての「胴体」部分と分類詞（評価レベル）変更先としての「翼」部分の区別がなく、全分類詞を全て「胴体」部分で表示する。
すべて「胴体」であるため、全分類詞のファイル構成を表示し、その形式は「ディレクトリ階層構造」、「ファイル名フルパス表示」いずれも可能である。「2.胴体羅列表示型」の形態は、複数の分類詞（評価レベル）のデジタルデータファイルの内容や構成を確認しながら、連続して任意の分類詞から他の分類詞への変更に関する要求に応えるものである。図１９、図２０、図２１、図２２は、それぞれ、「評価分類操作画面」における各表示の様子である。
【００５２】
利用者は、「1.翼表示型」、「2.胴体羅列表示型」ともに、デジタルデータファイルの「ファイル移動」を実施したい場合、たとえば、属性「個人情報」における分類詞「個人情報（である）」に、個人情報専用のフォルダーがある場合、「属性参照」「属性変更」の結果として、新たに個人情報となったデジタルデータファイルをその専用フォルダーに移動することを可能とする。
【００５３】
図２０、図２２において、「1.翼表示型」、「2.胴体羅列表示型」ともに、これらの「複数属性同時表示」が可能である。この機能は、たとえば、属性「個人情報」における分類詞「２：個人情報（である）」、または、属性「財務情報」における分類詞「２：財務情報（である）」であるデジタルファイルデータはすべて、属性「機密情報」における分類詞「５：最高機密」とするポリシーを新たにもつとした場合、「1.翼表示型」におけるこれら３つの属性の「複数属性同時表示」を選択、各属性の分類詞を「胴体」部分とした後、属性「個人情報」における分類詞「２：個人情報（である）」から属性「機密情報」における分類詞「５：最高機密」へ、属性「財務情報」における分類詞「２：財務情報（である）」から属性「機密情報」における分類詞「５：最高機密」へ移動する。これにより、複数属性間の分類詞の整合性を図りながらの「属性参照」「属性変更」が可能となる。図２３においては、属性「個人情報」における分類詞「２：個人情報（である）」の２１１から属性「機密情報」における分類詞「５：最高機密」の２１２への移動２１３を示す。
【００５４】
「評価分類操作画面」において、「評価分類操作機能部」により、デジタルファイルデータの属性情報を変更すると、「ファイル属性情報記憶部」が更新される。
【図面の簡単な説明】
【００５５】
【図１】プログラム全体の概略図。
【図２】「初期設定」における「処理手順図」（管理者による）。
【図３】「属性設定」における「処理手順図」（管理者による）。
【図４】「権限設定」における「処理手順図」（管理者による）。
【図５】「状況管理」における「処理手順図」（管理者による）。
【図６】「評価分類操作」における「処理手順図」（利用者による）。
【図７】「初期設定画面」における「対象ストレージ登録」の様子（管理者による）。
【図８】「属性設定画面」における「属性設定」の様子（管理者による）。
【図９】「属性設定画面」における「属性情報登録形式設定」の様子（管理者による）。
【図１０】「権限設定画面」における「利用者グループ作成」の様子（管理者による）。
【図１１】「権限設定画面」における「利用者登録」の様子（管理者による）。
【図１２】「状況管理画面」における「基本集計出力指示」の様子（管理者による）。
【図１３】「状況管理画面」における「基本集計出力指示」の出力結果の様子（管理者による）。
【図１４】「状況管理画面」における「加工集計出力指示」の様子（管理者による）。
【図１５】「状況管理画面」における「加工集計出力指示」の出力結果の様子（管理者による）。
【図１６】「評価分類操作画面」における「呼び出し画面」の様子（利用者による）。
【図１７】「評価分類操作画面」における「評価分類操作インターフェイス（1.翼表示型）」の様子と仕組みの説明（利用者による）。
【図１８】「評価分類操作画面」における「評価分類操作インターフェイス（2.胴体羅列表示型）」の様子（利用者による）。
【図１９】「評価分類操作画面」における「1.翼表示型」の単一属性（機密情報）表示の様子（利用者による）。
【図２０】「評価分類操作画面」における「1.翼表示型」の複数属性表示の様子（利用者による）。
【図２１】「評価分類操作画面」における「2.胴体羅列表示型」の単一属性（機密情報）表示の様子（利用者による）。
【図２２】「評価分類操作画面」における「2.胴体羅列型」の複数属性表示の様子（利用者による）。
【図２３】「評価分類操作画面」における２属性間評価調整の様子（属性：個人情報の分類詞：個人情報は全て属性：機密情報の分類詞：最高機密とするとした場合。利用者による）。
【符号の説明】
【００５６】
１  管理用端末
２  操作用端末
５１  ストレージ
５２  情報システム
【図１】
2008052337.tif 000003
【図２】
2008052337.tif 000004
【図３】
2008052337.tif 000005
【図４】
2008052337.tif 000006
【図５】
2008052337.tif 000007
【図６】
2008052337.tif 000008
【図７】
2008052337.tif 000009
【図８】
2008052337.tif 000010
【図９】
2008052337.tif 000011
【図１０】
2008052337.tif 000012
【図１１】
2008052337.tif 000013
【図１２】
2008052337.tif 000014
【図１３】
2008052337.tif 000015
【図１４】
2008052337.tif 000016
【図１５】
2008052337.tif 000017
【図１６】
2008052337.tif 000018
【図１７】
2008052337.tif 000019
【図１８】
2008052337.tif 000020
【図１９】
2008052337.tif 000021
【図２０】
2008052337.tif 000022
【図２１】
2008052337.tif 000023
【図２２】
2008052337.tif 000024
【図２３】
2008052337.tif 000025